(57)【要約】【課題】デジタルサイネージとして使用される表示装置にて、特定の人物の視覚特性に適した表示を行なうことを可能とする表示制御装置、表示システム、表示制御方法、及びコンピュータプログラムを提供する。【解決手段】表示装置に表示させる画像の表示制御を行なう表示制御装置において、前記表示装置から該表示装置にて表示される画像を視認可能な範囲に存在する視聴者への距離を測定する測定部と、前記視聴者を識別する識別情報に対応し、表示される文字の大きさの設定を含む表示設定情報を取得する取得部と、前記測定部にて測定した距離、及び前記取得部が取得した表示設定情報に基づいて前記表示装置にて表示させる文字の大きさを制御する制御部とを備える。【選択図】図１
2018072617.tif 000002
【特許請求の範囲】
【請求項１】
表示装置に表示させる画像の表示制御を行なう表示制御装置において、
前記表示装置から該表示装置にて表示される画像を視認可能な範囲に存在する視聴者への距離を測定する測定部と、
前記視聴者を識別する識別情報に対応し、表示される文字の大きさの設定を含む表示設定情報を取得する取得部と、
前記測定部にて測定した距離、及び前記取得部が取得した表示設定情報に基づいて前記表示装置にて表示させる文字の大きさを制御する制御部と
を備えることを特徴とする表示制御装置。
【請求項２】
前記取得部は、他の表示装置に対して設定されている視聴距離及び文字の大きさとの対応を含む表示設定情報を取得し、
前記制御部は、前記測定部にて測定した距離と前記視聴距離との比と、前記表示設定情報に含まれる文字の大きさに基づき、前記表示装置に表示させる文字の大きさを決定する
ことを特徴とする請求項１に記載の表示制御装置。
【請求項３】
前記表示設定情報には、配色設定又は色覚補助設定が含まれており、
前記制御部は、取得した表示設定情報に含まれる配色設定又は色覚補助設定に基づき前記表示装置に表示させる画像の配色を調整する
ことを特徴とする請求項１又は２に記載の表示制御装置。
【請求項４】
前記表示装置にて表示させる画像を、所定の時間が経過する都度異なる画像へ切り替える切替部と、
該切替部による画像の切り替えタイミングにて前記表示装置の前に視聴者が存在するか否かを判断する第１判断部と
を備え、
視聴者が存在すると判断した場合に、前記測定部は前記視聴者に対し距離を測定する
ことを特徴とする請求項１に記載の表示制御装置。
【請求項５】
複数の視聴者が存在するか否かを判断する第２判断部と、
該第２判断部により複数の視聴者が存在すると判断された場合、該複数の視聴者の内の一部又は全部を視聴者として選択する選択部と
を備え、
前記測定部は選択した視聴者への距離を測定する
ことを特徴とする請求項１に記載の表示制御装置。
【請求項６】
画像信号を入力して画像を表示する表示装置と、該表示装置への画像信号を制御する表示制御装置とを含み、該表示制御装置が前記表示装置に表示させる画像の表示制御を行なう表示システムにおいて、
前記表示制御装置は、
前記表示装置から該表示装置にて表示される画像を視認可能な範囲に存在する情報端末装置の所持者への距離を測定する測定部と、
前記情報端末装置の所持者を識別する識別情報に対応し、前記情報端末装置が有する表示部に表示される文字の大きさの設定を含む表示設定情報を取得する取得部と、
前記測定部にて測定した距離、及び前記取得部が取得した表示設定情報に基づいて前記表示装置にて表示させる文字の大きさを制御する制御部と
を備えることを特徴とする表示システム。
【請求項７】
画像信号を入力して画像を表示する表示装置と、該表示装置への画像信号を制御する表示制御装置とを含む表示システムにて、前記表示制御装置が前記表示装置に表示させる画像の表示制御を行なう表示制御方法において、
前記表示制御装置は、
前記表示装置から該表示装置にて表示される画像を視認可能な範囲に存在する視聴者への距離を測定し、
前記視聴者を識別する識別情報に対応し、表示される文字の大きさの設定を含む表示設定情報を取得し、
測定された距離、及び取得された表示設定情報に基づいて前記表示装置にて表示させる文字の大きさを制御する
ことを特徴とする表示制御方法。
【請求項８】
表示装置へ画像を出力するコンピュータに、前記表示装置における画像表示を制御させるコンピュータプログラムにおいて、
前記コンピュータに、
前記表示装置から該表示装置にて表示される画像を視認可能な範囲に存在する視聴者への距離を測定するステップ、
前記視聴者を識別する識別情報に対応し、表示される文字の大きさの設定を含む表示設定情報を取得するステップ、及び
測定された距離、及び取得された前記表示設定情報に基づいて前記表示装置にて表示させる文字の大きさを制御するステップ
を実行させることを特徴とするコンピュータプログラム。
【発明の詳細な説明】
【技術分野】
【０００１】
本発明は、デジタルサイネージとして使用される表示装置における表示制御を実施する表示制御装置、該表示制御装置を含む表示システム、表示制御方法及びコンピュータプログラムに関する。
【背景技術】
【０００２】
多数の人間が通行する場所に設置された表示装置に広告宣伝用の動画像を表示させる電子看板（デジタルサイネージ）が普及している。デジタルサイネージは一般的に、公共の場所にて不特定多数に向けた広告宣伝を表示する。表示装置の性能のみならず、有線及び無線ネットワークの性能並びに画像処理技術の向上により昨今では、その時点でのみ有効な情報を出力させたり、表示装置前に存在する人物の属性（年齢、性別）によって画像を切り替えたりする制御が行なわれている（特許文献１等）。
【０００３】
昨今ではデジタルサイネージに限らず、人間が目にする情報は紙媒体よりも電子媒体、即ち表示装置で提供されるものが多い。表示装置に表示される情報は、紙媒体に印刷出力された情報よりも表示設定（解像度、明暗、色温度、速度等）によっては解読が困難となる場合があり、個々のユーザは自分が使用する表示装置における表示設定を適宜調整して使用する。これに関し特許文献２には、ＨＴＭＬ（Hyper Text Markup Language）ファイル等の構造化文書ファイルに基づく表示制御に際し、色覚に何らかの異常を持つユーザのブラウザにて色変更テーブルを用いて適切な配色となるように変換する方法が開示されている。また特許文献３には、不特定多数向けのＷｅｂ文書を、依頼人である色覚異常を持つユーザ夫々の視覚特性に合わせて個別に修正して提供するＷｅｂ文書カスタマイズサーバが開示されている。
【先行技術文献】
【特許文献】
【０００４】
【特許文献１】特開２０１６−１７７２６５号公報
【特許文献２】特開２００５−０３１９８３号公報
【特許文献３】特開２００２−０１４８９５号公報
【発明の概要】
【発明が解決しようとする課題】
【０００５】
デジタルサイネージにおける表示制御では、特許文献１で開示されているように、表示される広告宣伝内容をその表示装置の前に立っている人物の属性に適合しつつ、周辺人物にも訴求性が高い内容に切り替えることで広告宣伝効果を高める取り組みがされている。しかしながら、特許文献２，３に開示されているようなユーザ個々の視覚特性の差異に応じた修正又は変更については、表示装置の前に存在する不特定多数の人物を対象とすることが想定されているデジタルサイネージでは考慮されることがなかった。
【０００６】
本発明は斯かる事情に鑑みてなされたものであり、デジタルサイネージとして使用される表示装置にて、特定の人物の視覚特性に適した表示を行なうことを可能とする表示制御装置、表示システム、表示制御方法、及びコンピュータプログラムを提供することを目的とする。
【課題を解決するための手段】
【０００７】
本開示に係る表示制御装置は、表示装置に表示させる画像の表示制御を行なう表示制御装置において、前記表示装置から該表示装置にて表示される画像を視認可能な範囲に存在する視聴者への距離を測定する測定部と、前記視聴者を識別する識別情報に対応し、表示される文字の大きさの設定を含む表示設定情報を取得する取得部と、前記測定部にて測定した距離、及び前記取得部が取得した表示設定情報に基づいて前記表示装置にて表示させる文字の大きさを制御する制御部とを備える。
【０００８】
本開示に係る表示制御装置は、前記取得部は、他の表示装置に対して設定されている視聴距離及び文字の大きさとの対応を含む表示設定情報を取得し、前記制御部は、前記測定部にて測定した距離と前記視聴距離との比と、前記表示設定情報に含まれる文字の大きさに基づき、前記表示装置に表示させる文字の大きさを決定する。
【０００９】
本開示に係る表示制御装置は、前記表示設定情報には、配色設定又は色覚補助設定が含まれており、前記制御部は、取得した表示設定情報に含まれる配色設定又は色覚補助設定に基づき前記表示装置に表示させる画像の配色を調整する。
【００１０】
本開示に係る表示制御装置は、前記表示装置にて表示させる画像を、所定の時間が経過する都度異なる画像へ切り替える切替部と、該切替部による画像の切り替えタイミングにて前記表示装置の前に視聴者が存在するか否かを判断する第１判断部とを備え、視聴者が存在すると判断した場合に、前記測定部は前記視聴者に対し距離を測定する。
【００１１】
本開示に係る表示制御装置は、複数の視聴者が存在するか否かを判断する第２判断部と、該第２判断部により複数の視聴者が存在すると判断された場合、該複数の視聴者の内の一部又は全部を視聴者として選択する選択部とを備え、前記測定部は選択した視聴者への距離を測定する。
【００１２】
本開示に係る表示システムは、画像信号を入力して画像を表示する表示装置と、該表示装置への画像信号を制御する表示制御装置とを含み、該表示制御装置が前記表示装置に表示させる画像の表示制御を行なう表示システムにおいて、前記表示制御装置は、前記表示装置から該表示装置にて表示される画像を視認可能な範囲に存在する情報端末装置の所持者への距離を測定する測定部と、前記情報端末装置の所持者を識別する識別情報に対応し、前記情報端末装置が有する表示部に表示される文字の大きさの設定を含む表示設定情報を取得する取得部と、前記測定部にて測定した距離、及び前記取得部が取得した表示設定情報に基づいて前記表示装置にて表示させる文字の大きさを制御する制御部とを備える。
【００１３】
本開示に係る表示制御方法は、画像信号を入力して画像を表示する表示装置と、該表示装置への画像信号を制御する表示制御装置とを含む表示システムにて、前記表示制御装置が前記表示装置に表示させる画像の表示制御を行なう表示制御方法において、前記表示制御装置は、前記表示装置から該表示装置にて表示される画像を視認可能な範囲に存在する視聴者への距離を測定し、前記視聴者を識別する識別情報に対応し、表示される文字の大きさの設定を含む表示設定情報を取得し、測定された距離、及び取得された表示設定情報に基づいて前記表示装置にて表示させる文字の大きさを制御する。
【００１４】
本開示に係るコンピュータプログラムは、表示装置へ画像を出力するコンピュータに、前記表示装置における画像表示を制御させるコンピュータプログラムにおいて、前記コンピュータに、前記表示装置から該表示装置にて表示される画像を視認可能な範囲に存在する視聴者への距離を測定するステップ、前記視聴者を識別する識別情報に対応し、表示される文字の大きさの設定を含む表示設定情報を取得するステップ、及び測定された距離、及び取得された前記表示設定情報に基づいて前記表示装置にて表示させる文字の大きさを制御するステップを実行させる。
【発明の効果】
【００１５】
本開示の表示制御装置、表示システム、表示制御方法及びコンピュータプログラムにあっては、デジタルサイネージとして不特定多数の人物を対象に使用される表示装置にて、特定のタイミングで特定の人物の視覚特性に適した表示を行なうことができる。
【図面の簡単な説明】
【００１６】
【図１】本実施の形態における表示システムの概要を示す模式図である。
【図２】表示システムを構成する各装置の内部構成を示すブロック図である。
【図３】端末装置での表示設定の処理手順の一例を示すフローチャートである。
【図４】調整用画面の内容例を示す説明図である。
【図５】表示設定情報の内容例を示す説明図である。
【図６】表示設定情報ＤＢの内容例を示す説明図である。
【図７】本実施の形態の表示システムにおける表示制御の処理手順の一例を示すフローチャートである。
【図８】ステップＳ１０６の画像の最適化を模式的に示す説明図である。
【図９】本実施の形態の表示システムにおける表示制御の処理手順の他の一例を示すフローチャートである。
【図１０】本実施の形態の表示システムにおける表示制御の処理手順の他の一例を示すフローチャートである。
【図１１】本実施の形態の表示システムにおける表示制御の処理手順の他の一例を示すフローチャートである。
【図１２】表示装置の前に複数のユーザが存在する場合の視聴者の選択方法の概要を示す説明図である。
【発明を実施するための形態】
【００１７】
本発明をその実施の形態を示す図面に基づいて具体的に説明する。
【００１８】
図１は、本実施の形態における表示システムの概要を示す模式図である。本実施の形態における表示システムは、表示制御装置１（図２参照）、表示装置２、及び情報端末装置３を含む。表示装置２は、人通りが多い場所で通行人から視認しやすい箇所に設置されており、デジタルサイネージとして利用される。表示制御装置１は、図１の例では表示装置２が設置されている壁の内側等、通行人から視認できない箇所に設置されており、表示装置２に表示させる画像（動画又は静止画）の制御を行なう。端末装置３は、デジタルサイネージの対象者である通行人が所持する所謂スマートフォン等の携帯型の情報端末装置である。
【００１９】
本実施の形態の表示システムでは、広告宣伝用の画像を表示装置２にて表示中に、通行人が足を止めてデジタルサイネージそのもの、又は表示中の広告宣伝に注目した場合、表示制御装置１がこれを検知して通行人の視覚特性に対応させるように表示を調整する。図１の例では、広告宣伝に注目して足を止めた通行人のために字を大きくし、更には一部の配色を変更している。これにより、不特定多数の人物が通行する箇所に設置されている表示装置２において、特定の人物向けに表示スタイル（文字の大きさ、配色、コントラスト等）を視覚特性に適したものとして表示させることができる。表示スタイルの最適化は、表示装置２において広告宣伝の内容自体を特定の人物に向けた内容（例えば男性であれば男性向けの広告宣伝、又は年齢層に応じた広告宣伝等）へ変更することとは異なる。この表示スタイルの最適化により、表示されている広告宣伝の内容をその特定の人物が一見して把握することを可能とし、あるいは、該特定の人物が広告宣伝を視認する時間（注目時間）の長さを増大させてその広告宣伝の理解度を高めることができる。このように、表示スタイルの最適化によってデジタルサイネージの不特定多数を対象とする広告宣伝効果と、特定の人物への訴求力向上とを両立させることができる。
【００２０】
このようなデジタルサイネージにおける表示スタイルの最適化を実現するために表示システムにおける表示制御装置１は、例えば以下のような構成を有する。図２は、表示システム１００を構成する各装置の内部構成を示すブロック図である。表示制御装置１は表示装置２と接続されている。表示制御装置１は、端末装置３とも無線信号により直接的に通信接続が可能である。更に表示制御装置１は、ネットワークＮと通信接続されており、ネットワークＮを介してＤＢ群、又は他のサーバ装置（図示せず）と通信接続が可能である。
【００２１】
表示制御装置１は、制御部１０、記憶部１１、一時記憶部１２、出力部１３、入力部１４、第１通信部１５及び第２通信部１６を備える。制御部１０はＣＰＵ（Central Processing Unit ）、クロック等を用い、記憶部１１に記憶されている表示制御プログラム１Ｐに基づいた各処理を実行し、汎用コンピュータを表示制御装置として機能させる。一時記憶部１２はＤＲＡＭ（Dynamic Random Access Memory）等の揮発性メモリを用いて制御部１０の処理により生成される情報を一時的に記憶する。
【００２２】
記憶部１１は、ハードディスクを用いて表示制御プログラム１Ｐのほか、制御部１０が参照するデータを記憶する。例えば記憶部１１には、制御対象である表示装置２の画面サイズ、解像度等の性能情報が記憶されている。本実施の形態では記憶部１１は、表示装置２に表示する広告宣伝用の映像又は画像のデータをコンテンツＤＢ１１１として記憶する。コンテンツＤＢ１１１に記憶されているデータは例えば、ＣＳＳ（Cascading Style Sheets）を含むＨＴＭＬで記述されたファイル、及び該ファイルにリンクされている画像又は動画像ファイルであるＷｅｂコンテンツである。なおコンテンツＤＢ１１１は、制御部１０によりデータの読み出しが可能であればその所在は限定されず、表示制御装置１外の記憶装置に記憶されている構成であってもよい。
【００２３】
表示制御プログラム１Ｐは、コンピュータに表示装置２にて表示させる静止画又は動画像を表示する際の後述するような表示制御を実行させるためのプログラムである。表示制御プログラム１Ｐは例えば、コンテンツＤＢ１１１からデータを読み出してデータのＨＴＭＬによる記述を解釈し、ＣＳＳに定義されている文字のサイズ、配色等を適切に設定して画像化するブラウジング機能を含む。そして表示制御プログラム１Ｐは記憶部１１に記憶されている表示装置２の性能情報を参照しつつ、後述するように、特定の人物の表示設定情報に対応させて文字のサイズ、配色及びコントラスト等の表示スタイルを変更して画像を出力することを可能とする。
【００２４】
出力部１３は、表示装置２と画像信号ケーブルを介して接続されており、制御部１０から与えられるデータに基づく映像信号（画像信号）を表示装置２へ出力する。出力部１３は表示装置２向けに必要に応じて映像データ（画像データ）をデコードするデコード機能を有していてもよい。また映像信号に連動する音声信号が含まれる場合には共に送信されてもよい。
【００２５】
入力部１４は、表示装置２付近に設けられるセンサ４と接続されており、センサ４から入力する信号からセンサ情報を取り出して制御部１０へ出力する。
【００２６】
センサ４は、表示装置２の表示面に並設されており、表示面から表示装置２の表示面側即ち、表示装置２にて表示される画像を視認可能な範囲に存在する人物までの距離を測定する距離センサである。センサ４には赤外線センサ（赤外線カメラ）、音波センサ、又は可視光カメラ等を用いることが可能であり、既存の距離測定技術を使用すればよい。センサ４は測定した距離を示す信号を表示制御装置１へ出力する。なおセンサ４は、表示装置２が後述するように立体表示デバイスである場合には、表示面からの距離ではなく動画像が表示されている部分からの距離を測定できればよい。
【００２７】
第１通信部１５は、ネットワークＮに有線により通信接続されるネットワークカードである。制御部１０は第１通信部１５により、ネットワークＮを介して他装置との通信接続が可能である。
【００２８】
第２通信部１６は、 Bluetooth（登録商標）及び無線ＬＡＮ、又はいずれか一方の無線通信規格に対応する無線通信モジュールを用い、例えば１０ｍ以内程度の近距離に存在する対応無線機器との無線通信信号による通信接続が可能である。第２通信部１６は例えばＢＬＥ（Bluetooth Low Energy）又はWiFi Direct 通信等の規格に基づく通信を行なう。制御部１０は第２通信部１６により、無線通信信号により直接的に、端末装置３との通信接続が可能である。
【００２９】
ネットワークＮは、インターネット等の公衆網であり、通信キャリアが提供するキャリアネットワークＣＮとも接続されている。ネットワークＮには、各所に設置されているアクセスポイントＡＰを介して通信接続することが可能である。キャリアネットワークＣＮは、各所に基地局ＢＳを有している。
【００３０】
ネットワークＮには、ユーザ情報ＤＢ５１及び表示設定情報ＤＢ５２が所定のセキュリティ装置を介して接続されており、表示制御装置１を用いるデジタルサイネージの管理事業者又は後述する特定のアプリプログラムの提供事業者により管理される。ユーザ情報ＤＢ５１及び表示設定情報ＤＢ５２は、ネットワークＮ及び図示しないＤＢサーバを介し、許可された表示制御装置１又は端末装置３のみから読み書きを受け付ける。
【００３１】
表示装置２は、液晶パネル、有機ＥＬ（Electroluminescence ）等を用いる。表示装置２はプロジェクタとこれに対応するスクリーン（壁自体）であってもよい。プロジェクタとスクリーンの組み合わせによって立体表示が可能であってもよい。その他、表裏両面から視認が可能な透明ディスプレイ等、動画像を不特定多数のユーザが視認可能な表示装置であればよい。表示装置２は、表示制御装置１から出力される画像信号（映像信号）に基づき表示パネルに画像を表示させる。
【００３２】
端末装置３は、スマートフォン、タブレット端末等のコンピュータを用いる。その他端末装置３は、ブックリーダと呼ばれる情報端末、ゲーム機、又はＰＤＡ等、無線による通信機能を有している携帯型の情報端末であれば適用できる。端末装置３は制御部３０、記憶部３１、一時記憶部３２、表示部３３、操作部３４、通信部３５、及び距離測定部３６を備える。
【００３３】
制御部３０は、ＣＰＵ、クロック等を含み、記憶部３１に記憶されている表示設定アプリプログラム３Ｐを含む各種アプリプログラムに基づいた各機能を発揮する。一時記憶部３２は、ＤＲＡＭ等の揮発性メモリを用いて制御部３０により生成される情報を一時的に記憶する。
【００３４】
記憶部３１は、フラッシュメモリ等の不揮発性メモリを用いる。記憶部３１は、表示設定アプリプログラム３Ｐのほか、Ｗｅｂブラウザプログラム等の端末用の汎用プログラムを記憶している。また記憶部３１は、制御部３０が読み書きする各種データを記憶する。例えば記憶部３１には、表示部３３のパネルサイズ及び解像度等の表示性能が記憶されているほか、表示部３３でテキストデータに基づき表示させる文字の大きさ、画像を表示させる際の配色設定、色覚補助設定、処理スピード、演出の有無等の表示設定情報３１１が記憶されている。
【００３５】
表示設定アプリプログラム３Ｐは例えば、特定のアプリプログラム（電子媒体（本、雑誌）のビューア、動画プレーヤ等）に組み込まれており、特定のアプリプログラムに基づく画面表示設定のためのプログラムである。表示設定情報３１１は特定のアプリプログラムに基づき画面を表示する際に参照される。なお表示設定情報３１１は、記憶部３１には静的には記憶されておらず、端末装置３を使用するユーザを識別するユーザ識別情報と共に外部の記憶装置（表示設定情報ＤＢ５２）に記憶しておいてもよい。この場合、特定のアプリプログラムの起動時に該記憶装置から取得され、記憶部３１又は一時記憶部３２に参照可能に記憶される構成としてもよい。表示設定アプリプログラム３Ｐは、端末装置３上で起動する全アプリプログラムに基づく画面表示の設定を行なうための汎用プログラムであってもよい。
【００３６】
表示部３３は、タッチパネル内蔵型液晶パネル又は有機ＥＬ等のディスプレイを用いる。制御部３０は、端末用のプログラムに基づき、表示部３３へテキスト及びアイコン等の画像を含む各種操作画面を表示させる。表示部３３は、タッチパネル内蔵型でないディスプレイでもよい。
【００３７】
操作部３４は、表示部３３のディスプレイに内蔵されるタッチパネル及び端末装置３の筐体に設けられるボタン群を用いる。操作部３４は、ユーザによる操作情報（画面接触、接触位置、ボタン押下等）を制御部３０へ通知する。
【００３８】
通信部３５は、基地局ＢＳに接続する通信規格に基づく無線通信モジュールと、アクセスポイントＡＰへの接続に対応する無線通信モジュールとを含む。制御部３０は通信部３５により、Bluetooth（登録商標）、特にＢＬＥ（Bluetooth Low Energy）、又はWiFi Direct 通信等の規格に基づき例えば１０ｍ以内程度の近距離に存在する対応無線機器との無線通信信号による通信接続が可能である。また通信部３５は、ネットワークＮを介して他装置（例えば表示設定情報ＤＢ５２）と通信接続が可能である。
【００３９】
距離測定部３６は、端末装置３の表示部３３の表示面に並設されており、該端末装置３の表示面からユーザへの距離を測定する距離センサである。距離測定部３６は赤外線センサ（赤外線カメラ）、音波センサ、又は可視光カメラ等を用い、既存の距離測定技術を使用すればよい。距離測定部３６は測定した距離を示す信号を制御部３０へ出力する。
【００４０】
図３は、端末装置３での表示設定の処理手順の一例を示すフローチャートである。図３のフローチャートに示す処理手順は、端末装置３にてユーザの操作に基づき表示設定アプリプログラム３Ｐの起動が選択された場合、即ち特定のアプリプログラムの起動中に画面表示設定が選択された場合に開始される。
【００４１】
制御部３０は、画面表示設定の調整用画面を表示させる（ステップＳ３０１）。調整用画面には後述するように、文字の大きさの選択画面、色覚補助設定の選択画面、配色の選択画面が含まれる。調整用画面は、予め記憶されてある表示設定情報３１１（初回の場合は初期設定）に対応する選択項目が表示されており、ユーザはその項目を変更することが可能である。制御部３０は、調整用画面にて選択が変更されたか否かを判断し（ステップＳ３０２）、変更されたと判断した場合（Ｓ３０２：ＹＥＳ）、距離測定部３６によりユーザと表示部３３の表示面との間の距離を測定する（ステップＳ３０３）。ステップＳ３０２においては例えば、調整用画面に含まれる「確定」アイコン及び「キャンセル」の内の「確定」アイコンが選択された場合、制御部３０は変更されたと判断し、「キャンセル」アイコンが選択された場合、変更されなかったと判断する。
【００４２】
制御部３０は、ステップＳ３０２にて変更されたと判断された調整用画面内の選択項目と、ステップＳ３０３にて測定された距離の情報と、端末装置３のユーザを識別するユーザ識別情報とを対応付けて記憶部３１に記憶する（ステップＳ３０４）。なおステップＳ３０４で記憶されるユーザ識別情報は、特定のアプリプログラムに対応するユーザ識別情報であってもよい。
【００４３】
制御部３０はステップＳ３０４で記憶部３１に記憶した後、選択項目の情報、距離の情報及びユーザ識別情報を対応付けて通信部３５からユーザ情報ＤＢ５１及び表示設定情報ＤＢ５２へ向けて送信する（ステップＳ３０５）。なおステップＳ３０５の処理は必須ではなく、ステップＳ３０４及びステップＳ３０５のいずれか一方の処理が行なわれればよい。
【００４４】
制御部３０は、調整用画面に替えて調整が完了したことを示す調整完了画面を表示させ（ステップＳ３０６）、処理を終了する。
【００４５】
ステップＳ３０２にて変更されないと判断された場合（Ｓ３０２：ＮＯ）、制御部３０は表示設定の処理をそのまま終了する。この場合、初期設定あるいは既に設定済みの表示設定情報３１１が後述にて説明される処理に使用される。
【００４６】
図４は、調整用画面の内容例を示す説明図である。図４（Ａ）は、調整用画面のメイン画面の例を示している。メイン画面には変更が可能な内容に対するアイコンが含まれている。図４（Ａ）に示す例では、文字の大きさを変更するための「文字サイズ」アイコン１３１、色覚異常の有無を選択するための「色覚補助設定」アイコン１３２、配色を好みのものとするための「配色設定」アイコン１３３を含む。図４（Ｂ）は、「文字サイズ」アイコン１３１が選択（タップ）された場合に表示される文字サイズ設定用画面であり、文字サイズに対応する数値の入力欄１３１１、プレビュー表示１３１２、「決定」アイコン１３１３を含む。図４（Ｃ）は「色覚補助設定」アイコン１３２が選択（タップ）された場合に表示される色覚異常の有無を選択するための画面であり、複数の色覚テスト画像１３２１、夫々に対応するチェックボックス１３２２、及び「決定」アイコン１３２３を含む。図４（Ｄ）は「配色設定」アイコン１３３が選択（タップ）された場合に表示される配色設定用画面であり、前景（文字）カラーの選択ボックス１３３１、背景カラーの選択ボックス１３３２、及び「決定」アイコン１３３３を含む。図４（Ｅ）及び（Ｆ）は、調整用画面から一旦、文字サイズ設定用画面、色覚補助設定用画面及び配色設定用画面で「決定」アイコン１３１３，１３２３，１３３３のいずれかが選択された場合に表示される調整確認用画面の例である。「決定」アイコン１３１３，１３２３，１３３３が選択された場合の調整確認用画面には、変更を反映する前の表示設定に基づくプレビュー１３４と、変更を反映した場合のプレビュー１３５と、変更を取消させる「キャンセル」アイコン１３６、変更を反映させる「確定」アイコン１３７が表示されている。
【００４７】
図４（Ｅ）は、文字サイズ設定用画面で文字サイズの入力欄１３１１に「１０」が入力されて「決定」アイコン１３１３が選択された場合の例を示しており、プレビュー１３５には文字サイズの変更を反映した表示を示している。また、図４（Ｆ）は、配色設定用画面にて文字カラーの選択ボックス１３３１で「白」、背景カラーの選択ボックス１３３２で「黒」が選択され、「決定」アイコン１３３３が選択された場合に表示される例を示している。図４（Ｆ）では、配色の変更を反映した場合の表示がプレビュー１３５に示されている。図４（Ｅ）又は図４（Ｆ）で示したような調整確認用画面で、「確定」アイコン１３７が選択されると、制御部３０はこれを検知してステップＳ３０２にて変更されたと判断する（Ｓ３０２：ＹＥＳ）。
【００４８】
また、図３のフローチャートに示した処理手順の内、ステップＳ３０６にて表示される調整完了画面にも、図４（Ｅ）中のプレビュー１３５のように、変更後の表示設定情報３１１に基づき表示される内容例を示すとよい。また調整用画面は図４（Ａ）〜（Ｅ）に示した例に限られず、他に例えば、使用言語、解像度、処理速度、特定の演出（ページめくり、画面又はページ切り替わり時のアニメーション効果等）の有無の設定項目を含むようにしてもよい。更に、読み上げの要否を設定項目に含めるようにしてもよい。
【００４９】
図５は、表示設定情報３１１の内容例を示す説明図である。図５に示すように表示設定情報３１１は、ユーザ識別情報に対応付けられた測定された距離の情報及び表示設定の情報である。図５の例では、距離が２０ｃｍ、文字のサイズが２４ｐｘで設定されている。なお図５に示す例において表示設定の情報は、図４（Ｂ）の文字サイズ設定用画面にて選択された文字サイズのみを示している。しかしながら、色覚補助設定に関する情報（色覚異常のタイプ）及び選択された配色の情報（前景色、背景色又は組み合わせのデザイン名等）、その他使用言語、読み上げの要否等が含まれてもよい。
【００５０】
図６は、表示設定情報ＤＢ５２の内容例を示す説明図である。図６に示すように表示設定情報ＤＢ５２では、複数のユーザ識別情報夫々に対応付けて、図５に示したような測定された距離の情報及び表示設定の情報が記憶されている。表示設定の項目には、文字サイズ（ｐｘ）のみならず、特定のアプリプログラムの表示設定（配色設定、色覚補助設定、処理速度等）が含まれてもよい。
【００５１】
次に、上述のように設定された表示設定情報３１１（又は表示設定情報ＤＢ５２）を使用した表示制御装置１における表示制御について説明する。図７は、本実施の形態の表示システム１００における表示制御の処理手順の一例を示すフローチャートである。図７のフローチャートに示す処理手順は、表示設定アプリプログラム３Ｐ又は特定のアプリプログラムが端末装置３にて動作している間に間欠的に行なわれる。
【００５２】
端末装置３の制御部３０は、通信部３５により、所定の距離内に表示制御装置１の存在を探索する（ステップＳ３１１）。ステップＳ３１１にて、通信部３５による通信到達範囲に表示制御装置１が存在する（通信可）と判断された場合（Ｓ３１１：ＹＥＳ）、制御部３０は通信部３５により、表示制御装置１と通信を確立させる（ステップＳ３１２）。そして制御部３０は、記憶部３１に記憶してある表示設定情報３１１に含まれるユーザ識別情報を表示制御装置１へ送信する（ステップＳ３１３）。
【００５３】
制御部３０は、必要に応じて表示設定情報３１１に含まれる文字のサイズ及び距離の情報を表示制御装置１へ送信し（ステップＳ３１４）、その後表示制御装置１が通信到達範囲外となるか否かを判断する（ステップＳ３１５）。なおステップＳ３１４にて表示設定情報３１１を送信するとしたが、ステップＳ３１４は必須ではなく、ステップＳ３１３にてユーザ識別情報のみを送信するようにしてもよい。
【００５４】
表示制御装置１の制御部１０は、第２通信部１６により、端末装置３と通信接続し（ステップＳ１０１）、端末装置３から送信されるユーザ識別情報を受信する（ステップＳ１０２）。その後、表示設定情報３１１が送信される場合、制御部１０は第２通信部１６によりこれを受信して取得する（ステップＳ１０３）。
【００５５】
なおステップＳ１０３において制御部１０は、端末装置３からユーザ識別情報のみが送信される場合、表示設定情報ＤＢ５２から、端末装置３に対応する表示設定情報３１１を取得するようにしてもよい。この場合制御部１０は、ステップＳ１０２にて受信したユーザ識別情報を含む表示設定情報の送信要求を表示設定情報ＤＢ５２のＤＢサーバへ向けて送信し、該ＤＢサーバから応答として表示設定情報を受信して取得する。
【００５６】
次に制御部１０は、端末装置３を所持する視聴者であるユーザとの距離を測定する（ステップＳ１０４）。ステップＳ１０４では具体的には、制御部１０はセンサ４からの出力信号から距離を読み取る。ステップＳ１０４の処理はステップＳ１０１〜Ｓ１０３と同時並行的に行なうようにしてもよい。
【００５７】
制御部１０は、測定したステップＳ１０４で測定した距離と、ステップＳ１０３で取得した表示設定情報に含まれている距離との比に基づき、同じく表示設定情報に含まれている文字の大きさから表示装置２に表示させる文字の大きさを決定する（ステップＳ１０５）。例えば、距離が４００ｃｍであって、受信した表示設定情報に含まれている距離が２０ｃｍであれば、その比は２０倍となり、表示設定情報に含まれている文字の大きさが２４ｘであれば文字の大きさは４８０ｐｘとなる。拡大率はこれに限らず、表示設定情報に基づいて適切な大きさとなるように調整されるとよい。
【００５８】
制御部１０は、決定した文字の大きさとなるように出力部１３から出力中の画像信号で表示される画像を最適化する（ステップＳ１０６）。
【００５９】
端末装置３側にて表示制御装置１が通信到達範囲内であると判断された場合（Ｓ３１５：ＹＥＳ）、制御部３０は処理をステップＳ３１５へ戻して待機する。表示制御装置１が通信到達範囲外であると判断された場合（Ｓ３１５：ＮＯ）、制御部３０は通信部３５による通信接続を解除し（ステップＳ３１６）、端末装置３側での処理は終了する。なおステップＳ３１１にて通信部３５による通信到達範囲に表示制御装置１が存在しない（通信不可）と判断された場合（Ｓ３１１：ＮＯ）、制御部３０はそのまま端末装置３側での処理を終了する。
【００６０】
表示制御装置１側にて制御部１０は、通信接続が解除されたか否かを判断し（ステップＳ１０７）、解除されていないと判断された場合（Ｓ１０７：ＮＯ）、処理をステップＳ１０６へ戻して解除されるまでは最適化された画像を表示させ続ける。なお通信接続が解除されたか否かについては、端末装置３との通信が途絶えたか否かを判断し、途絶えたと判断される場合には解除されたと判断する。広告宣伝用の画像が切り替えられるタイミングとなったときには、制御部１０は受信している表示設定情報に従って次の画像についても同様に最適化して表示させる（Ｓ１０６）。
【００６１】
ステップＳ１０７にて通信接続が解除されたと判断された場合（Ｓ１０７：ＹＥＳ）、制御部１０は、表示設定を初期設定（予めＣＳＳ等で設定されているスタイル）に戻し（ステップＳ１０８）、処理を終了する。その後、再度端末装置３、又は他の端末装置３と通信接続が可能となるまで初期設定にて画像の表示が継続される。
【００６２】
図８は、ステップＳ１０６の画像の最適化を模式的に示す説明図である。図８に示すように、距離２０ｃｍで画面を見る端末装置３のユーザが、該画面上で２４ｐｘというサイズの文字を見やすいと感じているとする（図５の表示設定）。このユーザが４００ｃｍ離れている表示装置２前で足を止めて表示装置２を視認した場合、表示制御装置１により表示装置２で表示する画像における文字の大きさを４８０ｐｘとする。これにより、視野角を同じとすることができ、つまり、図８に示すように、ユーザは端末装置３の表示部３３に表示されている画像と同じ大きさ、同じ細やかさで表示装置２に表示されている画像を視認することができる。
【００６３】
このようにして図１に示したように通行人の一人が足を止めた場合、その人物が表示装置２の近傍に存在する間は、その特定の人物（視聴者）の表示設定情報に基づいて、文字が拡大されるなど適切な表示がなされる。なお図１に示す例では、色覚補助設定又は好みによる配色設定に基づき、文字サイズのみならず、文字色及び背景色等の表示スタイルが変更されて再表示されている。なお使用言語が表示設定情報３１１に含まれている場合には言語を変換するようにしてもよい。更には、読み上げ要である情報が表示設定情報３１１に含められている場合に読み上げ音声に変換するようにしてもよい。
【００６４】
（変形例１）
次に、表示設定アプリプログラム３Ｐ（又は特定のアプリプログラム）を動作中の端末装置３を所持するユーザが複数人、表示装置２の前に存在する場合の処理について説明する。変形例１における表示システム１００の構成は、以下の詳細な処理手順及びセンサ４以外は、上述した実施の形態と同一である。変形例１においてセンサ４は赤外線又は可視光カメラを用い、制御部１０はセンサ４から取得する画像を用い、人物を分別して認識することが可能であることが好ましい。
【００６５】
図９は、本実施の形態の表示システム１００における表示制御の処理手順の他の一例を示すフローチャートである。図９のフローチャートに示す処理手順の内、図７のフローチャートに示した処理手順と共通する手順については同一のステップ番号を付して詳細な説明を省略する。
【００６６】
表示制御装置１の制御部１０は、出力部１３から出力中の画像信号に基づく画像の切り替えタイミングが到来するか否かを判断する（ステップＳ１１１）。
【００６７】
ステップＳ１１１にて切り替えタイミングが到来していないと判断された場合（Ｓ１１１：ＮＯ）、制御部１０は処理をステップＳ１１１へ戻す。この場合、出力部１３から出力中の画像信号の出力処理を継続する。
【００６８】
ステップＳ１１１にて切り替えタイミングが到来したと判断された場合（Ｓ１１１：ＹＥＳ）、制御部１０は端末装置３が第２通信部１６の通信到達範囲に端末装置３が存在するか否かを判断する（ステップＳ１１２）。つまりステップＳ１１２では、制御部１０は、表示装置２前に、表示設定アプリプログラム３Ｐを動作中の端末装置３を所持している人物が存在するか否かを判断する。
【００６９】
ステップＳ１１２にて存在すると判断された場合（Ｓ１１２：ＹＥＳ）、制御部１０は、カメラであるセンサ４から画像を取得し、いずれかの人物が足を止めているか否かを判断する（ステップＳ１１３）。
【００７０】
ステップＳ１１３における足を止めているか否かの判断は例えば、制御部１０は、センサ４としてカメラを用い、該カメラからモニタ出力される映像信号における各フレームに対して人物被写体の領域を識別し、複数フレームに亘ってほぼ同一の位置に存在する人物被写体が存在するか否かで判断する。又は制御部１０は、所定の時間（例えば５秒）以上、第２通信部１６の通信到達範囲内に同一の端末装置３が存在するか否かで判断するようにしてもよい。
【００７１】
なおステップＳ１１３にて足を止めているか否かの判断は、単なる通行人ではなく表示装置２の表示面に注視している視聴者の存在を特定するための１つの判断方法である。したがってその他の判断へ代替することが可能である。例えば、センサ４としてカメラを用い、カメラからモニタ出力される映像信号における各フレームに対して人物被写体の領域を識別し、その内の顔領域に基づき、顔が表示面を向いているか否かを判断してもよい。更には、カメラを用いる等して表示装置２前の通行人の視線を検知し、表示面を注視した人物を視聴者として特定するようにしてもよい。
【００７２】
ステップＳ１１３にて人物が足を止めていると判断された場合（Ｓ１１３：ＹＥＳ）、制御部１０は、第２通信部１６の通信到達範囲内に存在する１又は複数の端末装置３と通信接続を確立する（ステップＳ１１４）。次に制御部１０は、複数の端末装置３が通信到達範囲内に存在するか否かを判断する（ステップＳ１１５）。
【００７３】
ステップＳ１１５にて複数の端末装置３が存在せず、単数であると判断された場合（Ｓ１１５：ＮＯ）、制御部１０は通信接続を確立してきた端末装置３からユーザ識別情報を受信し、表示設定情報を取得する（Ｓ１０２，１０３）。以後制御部１０は、ステップＳ１０４〜Ｓ１０６の処理を実行し、処理を後述のステップＳ１２２へ進める。ステップＳ１０４にて距離を測定する方法としては、センサ４の赤外線センサ又は音波センサにより直近物との距離を、その唯一歩行を停止している人物（視聴者）との距離として推定する。又は、センサ４がカメラである場合には、人物被写体の領域を識別し、複数フレームに亘ってほぼ同一の位置に存在する人物被写体（足を止めている人物の人物被写体）の大きさ、足先の位置からセンサ４から対応する人物までの距離を推定することも可能である。無線通信信号の受信強度に基づいて距離を推定するようにしてもよい。なおこの場合、表示装置２の前に複数の人物が存在するときに、唯一歩行を停止している人物を優先的に抽出して主な視聴者とし、該視聴者の表示設定に基づき表示を制御することと同意である（図１１参照）。
【００７４】
ステップＳ１１５にて複数の端末装置３が存在すると判断された場合（Ｓ１１５：ＹＥＳ）、制御部１０は、複数の端末装置３夫々からユーザ識別情報を受信し（ステップＳ１１６）、表示設定情報３１１を取得する（ステップＳ１１７）。なおステップＳ１１６にて受信するユーザ識別情報に対し、一時的な識別情報、例えばユーザを相互に識別できるようなユーザ通し番号を割り振って以後、ユーザ識別情報に代えて用いてもよい。またステップＳ１１７において制御部１０は、ステップＳ１１６で受信したユーザ識別情報に基づき、表示設定情報ＤＢ５２から、複数の端末装置３夫々に対応する表示設定情報３１１を受信するようにしてもよい。
【００７５】
次に制御部１０は、表示装置２から最も近距離にいる人物を視聴者として選択し（ステップＳ１１８）、選択された視聴者への距離を測定する（ステップＳ１１９）。ステップＳ１１８において制御部１０は例えば、各端末装置３からのユーザ識別情報を受信した際の無線通信信号の受信強度から最も近距離にいる人物を推定する。この場合、測定する距離と、測定対象とする端末装置３のユーザとを対応付けて識別することが容易である。その他、赤外線センサ又は音波センサであるセンサ４により測定される直近物との距離を最も近距離にいる視聴者が所持する端末装置３との距離として推定しつつ、切り替えタイミング以後最も早くユーザ識別情報を送信してきた端末装置３を最も近距離の端末装置３と推定する等、他の方法で測定（推定）してもよい。
【００７６】
制御部１０は、距離の測定対象とした端末装置３から受信した表示設定情報に含まれている距離と、ステップＳ１１９で測定した距離との比に基づき、同じく表示設定情報に含まれている文字の大きさから表示装置２に表示させる文字の大きさを決定する（ステップＳ１２０）。
【００７７】
制御部１０は、決定した文字の大きさとなるように出力部１３から出力中の画像信号で表示される画像を最適化し（ステップＳ１２１）、接続中の端末装置３との通信接続を解除し（ステップＳ１２２）、処理を終了する。以後制御部１０は、切り替えタイミングの都度にステップＳ１１２〜Ｓ１２２の処理を実行する。通信接続の確立及び解除（Ｓ１１４及びＳ１２２）については、切り替えタイミングの都度行なわれなくともよい。例えば制御部１０は、一旦端末装置３との通信接続が確立された後は、接続中の単一の端末装置３が存在するか否かを判断して以後のステップＳ１０４〜Ｓ１０６を行なうとよい。又は、端末装置３が複数存在する場合（Ｓ１１５：ＹＥＳ）には、ステップＳ１１８で選択された人物の端末装置３以外の端末装置３とは接続を解除し、以後は通信接続を確立する（Ｓ１１４）代わりに、選択された人物の端末装置３が継続して存在するか否かを判断して以後のステップＳ１１９〜Ｓ１２１を行なうとよい。そして制御部１０は、接続中の単一の端末装置３、又は選択された人物の端末装置３が第２通信部１６の通信範囲外となったときに通信接続を解除し、次の切り替えタイミングで再度他の端末装置３と接続すればよい。
【００７８】
なおステップＳ１１２にて端末装置３（を所持する人物）が存在しないと判断された場合（Ｓ１１２：ＮＯ）、制御部１０は表示設定を初期設定（予めＣＳＳ等で設定されているスタイル）に戻す（ステップＳ１２３）。またステップＳ１１３にていずれの人物も足を止めていないと判断された場合も（Ｓ１１３：ＮＯ）、制御部１０は表示設定を初期設定に戻す（Ｓ１２３）。この場合、出力部１３から出力中の画像信号に基づく画像を切り替え、初期設定の表示スタイルで画像信号の出力処理を継続する。
【００７９】
このように、画像の切り替えタイミングに合わせることで自然に、その表示装置２の画像を見ているユーザにとって見やすいスタイルでの表示が可能になる。また端末装置３を所持するユーザが複数人、表示装置２の前に存在する場合であっても、少なくとも足を止めているユーザを視聴者（距離測定の対象者）として選択し、更には最も近づいているユーザが見やすいスタイルでの表示を可能とし、表示装置２で表示される内容への理解度を高め、訴求力を向上させることができる。
【００８０】
（変形例２）
表示設定アプリプログラム３Ｐ（又は特定のアプリプログラム）を動作中の端末装置３を所持するユーザが複数人、表示装置２の前に存在する場合の処理については、更に他の変形例へも代替可能である。図１０は、本実施の形態の表示システム１００における表示制御の処理手順の他の一例を示すフローチャートである。図１０のフローチャートに示す処理手順の内、図７及び図９のフローチャートに示した処理手順と共通する手順については同一のステップ番号を付して詳細な説明を省略する。
【００８１】
変形例２において制御部１０は、複数の端末装置３夫々からユーザ識別情報を受信し、表示設定情報を取得した後（Ｓ１１６，Ｓ１１７）、複数の端末装置３を所持するユーザ全員を視聴者として選択する（ステップＳ１３１）。そして制御部１０は、選択した視聴者全員への距離を測定する（ステップＳ１３２）。ステップＳ１３２において制御部１０は、赤外線センサ又は音波センサであるセンサ４により所定の測定範囲内にて測定された複数の異なる距離（距離分布）から接続を確立できた端末装置３の数分の距離を選択して推定するようにしてもよい。又は制御部１０は、ユーザ識別情報を受信した際の無線通信信号の受信強度から推定してもよい。
【００８２】
制御部１０は測定した距離の平均値（中央値、最頻値でもよい）を導出する（ステップＳ１３３）。更に、複数の端末装置３から受信した表示設定情報に含まれている距離と文字の大きさとの間の相関関係（線形関係）を導出する（ステップＳ１３４）。ステップＳ１３４では具体的には、複数の距離と文字の大きさとの組み合わせから、線形回帰により距離と文字の大きさとの間の線形係数を求めてもよいし、代表的な距離及び文字の大きさを求めてもよい。また、ステップＳ１３４では距離の中央値と文字の大きさの中央値とを各々求めて使用するなど種々の方法に代替可能である。
【００８３】
制御部１０は、ステップＳ１３３で導出された距離と、ステップＳ１３４で導出された距離及び文字の大きさの相関関係から、表示装置２に表示させる文字の大きさを決定する（ステップＳ１３５）。そして制御部１０は、決定した文字の大きさとなるように出力部１３から出力中の画像信号で表示される画像を最適化し（ステップＳ１３６）、接続中の複数の端末装置３との通信接続を解除し（Ｓ１２２）、処理を終了する。
【００８４】
このように、端末装置３を所持するユーザが複数人、表示装置２の前に存在する場合であっても、その全員が視聴者である場合には全員にとって見やすいスタイルでの表示を可能とし、表示装置２で表示される内容への理解度を高め、訴求力を向上させることができる。なお、複数のユーザの内の一人でも所持する端末装置３にて色覚補助設定がされている場合には、優先的に色覚補助設定に基づく配色に変更されて再表示されるとよい。
【００８５】
（変形例３）
端末装置３を所持するユーザが複数人、表示装置２の前に存在する場合の処理については、更に他の変形例へも代替可能である。図１１は、本実施の形態の表示システム１００における表示制御の処理手順の他の一例を示すフローチャートである。図１１のフローチャートに示す処理手順の内、図７及び図９のフローチャートに示した処理手順と共通する手順については同一のステップ番号を付して詳細な説明を省略する。
【００８６】
変形例３において制御部１０は、ステップＳ１１２にて存在すると判断された場合（Ｓ１１２：ＹＥＳ）、ステップＳ１１３の処理を省略して第２通信部１６の通信到達範囲内に存在する１又は複数の端末装置３と通信接続を確立する（Ｓ１１４）。そしてステップＳ１１５にて複数の端末装置３が存在すると判断された場合（Ｓ１１５：ＹＥＳ）、制御部１０は、各々からユーザ識別情報を受信し（Ｓ１１６）、表示設定情報３１１を取得する（Ｓ１１７）。次に変形例３において制御部１０は、表示装置２の前で止まっている人物を視聴者として選択し（ステップＳ１４１）、選択した視聴者への距離を測定する（Ｓ１１９）。
【００８７】
ステップＳ１４１において止まっている人物とは例えば、カメラを用いるセンサ４からモニタ出力される映像信号における複数フレームに亘ってほぼ同一の位置に存在する人物被写体領域に対応する人物である。又は人物被写体領域が識別される場合において、正面視の顔領域が認識できた場合には、該顔領域に対応する人物被写体を止まっている人物として識別するようにしてもよい。そしてその人物への距離は、フレーム画像内における人物被写体領域の大きさ及び足先の位置から推定可能である。あるいは、制御部１０は、所定の時間（例えば５秒）以上、第２通信部１６の通信到達範囲内に存在する同一の端末装置３を止まっている人物が所持する端末装置３としてもよい。この場合、当該人物への距離は端末装置３との間で赤外線を含む無線信号の送受信を行なってその信号強度等によって測定してもよい。更には、端末装置３に設けられている加速度センサを用いて、人物が止まっているかどうかを端末装置３にて検出し、その結果を制御部１０が取得して用いるようにしてもよい。またステップＳ１４１における止まっているか否かの判断は、上述のステップＳ１１３と同様に、単なる通行人と視聴者とを分別するための判断であるから、ステップＳ１１３で説明したような他の方法を用いてもよい。
【００８８】
変形例３においても制御部１０は、距離の測定対象とした端末装置３から受信した表示設定情報に含まれている距離と、ステップＳ１１９で測定した視聴者との距離との比に基づき、表示装置２に表示させる文字の大きさを決定する（Ｓ１２０）。制御部１０は、決定した文字の大きさとなるように出力部１３から出力中の画像信号で表示される画像を最適化し（Ｓ１２１）、接続中の端末装置３との通信接続を解除し（Ｓ１２２）、処理を終了する。
【００８９】
このように変形例３においても、端末装置３を所持するユーザが複数人、表示装置２の前に存在する場合であっても、足を止めて表示装置２を見ている視聴者にとって見やすいスタイルでの表示を可能とし、表示装置２で表示される画像の訴求力を向上させることができる。なお、足を止めた視聴者が所持する端末装置３にて色覚補助設定がされている場合には、優先的に色覚補助設定に基づく配色に変更されて再表示されるとよい。
【００９０】
図１２は、表示装置２の前に複数のユーザが存在する場合の視聴者の選択方法の概要を示す説明図である。図１２（Ａ）は、変形例１（図９、ステップＳ１１８）で採用した選択方法を示し、図１２（Ｂ）は変形例２（図１０、ステップＳ１３１）で採用した選択方法を示している。図１２（Ｃ）は、変形例３（図１１、ステップＳ１４１）で採用した選択方法を示している。
【００９１】
変形例１では図１２（Ａ）に示すように、端末装置３を所持して特定のアプリプログラムを動作させている全員が止まっていた場合、最も近距離に存在するユーザが視聴者として選択される。そして最も近距離に存在する視聴者までの距離に基づき、該視聴者であるユーザが所持する端末装置３の表示設定情報３１１の表示設定に合わせて表示が制御される。
【００９２】
変形例２では図１２（Ｂ）に示すように、端末装置３を所持して特定のアプリプログラムを動作させている全員が止まっている場合、その全員が視聴者として選択される。その全員までの距離と、全端末装置３における表示設定情報３１１とから平均的（中央値）な表示設定に調整される。
【００９３】
そして変形例３では、図１２（Ｃ）に示すように、端末装置３を所持して特定のアプリプログラムを動作させている人物の内、止まっている人物（一人）のみが視聴者として選択される。そして視聴者までの距離に基づき、該人物が所持している端末装置３における表示設定情報３１１に合わせて表示が制御される。複数人止まっている場合には、図１２（Ａ）の止まっている人物を視聴者として優先としてもよいし、止まっている人物全員を視聴者として全員との距離の平均（図１２（Ｂ））を使用するようにしてもよい。
【００９４】
このように複数のユーザが存在する場合には、図１２（Ａ）〜（Ｃ）のいずれの例においても適切なスタイルでの表示が可能となる。状況（人数、距離のばらつき、センサ４の性能等）に応じて適切な方法によって距離が測定されればよい。また、表示させる画像毎にいずれの方法にて距離を測定するかを予め記憶しておき、切替時に図９〜図１１のフローチャートのいずれかの処理を行なうように切り替えるようにしてもよい。
【００９５】
上述の実施の形態においては、複数の人物が通行する実空間におけるデジタルサイネージにて特定の人物の表示設定に従って画面を最適化することについて説明した。しかしながらこれに限らず、仮想空間におけるデジタルサイネージ部分にて、その仮想空間を例えばビューアで見ているユーザの表示設定にしたがって表示制御を行なうようにしてもよい。具体的には、仮想空間の視点（ユーザ位置）と、仮想空間におけるデジタルサイネージ部分（看板部分）との距離を測定し、その距離と予め設定してある表示設定とに基づき文字の大きさを変更したり、配色を好みのものとしたり、色覚異常がある場合にはそれに応じた表示へと変更したりする。
【００９６】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００９７】
１００  表示システム
１  表示制御装置
１０  制御部
１１  記憶部
１Ｐ  表示制御プログラム
１２  一時記憶部
１４  入力部
１５  第１通信部
１６  第２通信部
２  表示装置
３  端末装置
３０  制御部
３１  記憶部
３Ｐ  表示設定アプリプログラム
３１１  表示設定情報
３３  表示部
３５  通信部
３６  距離測定部
４  センサ（距離測定部）
５２  表示設定情報ＤＢ
【図１】
2018072617.tif 000003
【図２】
2018072617.tif 000004
【図３】
2018072617.tif 000005
【図４】
2018072617.tif 000006
【図５】
2018072617.tif 000007
【図６】
2018072617.tif 000008
【図７】
2018072617.tif 000009
【図８】
2018072617.tif 000010
【図９】
2018072617.tif 000011
【図１０】
2018072617.tif 000012
【図１１】
2018072617.tif 000013
【図１２】
2018072617.tif 000014